(57)【要約】【課題】パッシブ方式の画像表示装置において不必要な輝度低下を有効に回避して、実用上十分にクロストークを低減する。【解決手段】パッシブ方式により３次元画像を表示する画像表示装置１において、出射面に直線偏光板５を配置してなる画像表示パネル２と、画像表示パネル２のパネル面に配置されたパターン位相差フィルム３とを備え、連続する画素が右目用画素及び左目用画素に順次交互に設定されて、それぞれ右目用の画像データ及び左目用の画像データとで駆動される。パターン位相差フィルム３は、右目用画素及び左目用画素に対応して、透過光に対応する位相差を付与する右目用領域Ａ及び左目用領域Ｂが順次交互に設けられた位相差層３Ｃを備える。画像表示装置１は、位相差層３Ｃから画像表示パネル２のパネル面までの間隔が６００μｍ以下である。【選択図】図１
2015004725.tif 000002
【特許請求の範囲】
【請求項１】
パッシブ方式により３次元画像を表示する画像表示装置において、
各画素の境界を遮光する遮光部と直線偏光板とが順次出射面に配置された画像表示パネルと、
前記画像表示パネルのパネル面に配置されたパターン位相差フィルムとを備え、
連続する画素が右目用画素及び左目用画素に順次交互に設定されて、それぞれ右目用の画像データ及び左目用の画像データとで駆動され、
前記パターン位相差フィルムは、
前記右目用画素及び左目用画素に対応して、透過光に対応する位相差を付与する右目用領域及び左目用領域が順次交互に設けられた位相差層を備え、
前記画像表示装置は、
前記位相差層から前記画像表示パネルのパネル面までの間隔が６００μｍ以下である
画像表示装置。
【請求項２】
前記画像表示装置から離間した位置において、前記右目用画素及び又は左目用画素からの出射光であって、前記右目用領域及び又は左目用領域を透過して到来する信号成分の光量に対して、前記左目用画素及び又は右目用画素からの出射光であって、前記右目用領域及び又は左目用領域を透過して到来するクロストーク成分の光量の比率が、１０％以下である
請求項１に記載の画像表示装置。
【請求項３】
前記離間した位置において、前記右目用画素からの出射光であって、前記右目用領域を透過して到来する信号成分の光量と、前記左目用画素からの出射光であって、前記左目用領域を透過して到来する信号成分の光量との差分値が、前記右目用領域を透過して到来する信号成分の光量又は前記左目用領域を透過して到来する信号成分の光量のうちの光量の大きい側の１０％以下である
請求項２に記載の画像表示装置。
【請求項４】
前記右目用領域及び左目用領域の幅が、０．０１ｍｍ以上、０．０３ｍｍ以下の範囲で異なっている
請求項１、請求項２、請求項３の何れかに記載の画像表示装置。
【発明の詳細な説明】
【技術分野】
【０００１】
本発明は、パッシブ方式による３次元画像表示に係る画像表示装置に関するものである。
【背景技術】
【０００２】
近年、パッシブ方式により３次元画像を表示する画像表示装置が提供されている。ここで図５は、液晶表示パネルを使用したパッシブ方式の画像表示装置を示す概略図である。パッシブ方式の画像表示装置は、垂直方向又は水平方向（この図５の例では、垂直方向）に連続する液晶表示パネルの画素を、順次交互に、右目用及び左目用に割り当て、それぞれ右目用及び左目用の画像データで駆動し、これにより右目用の画像と左目用の画像とを同時に表示する。また液晶表示パネルのパネル面（視聴者側面）にパターン位相差フィルムを配置し、右目用の画素及び左目用の画素からの直線偏光による出射光を、右目用及び左目用で方向の異なる円偏光に変換する。これによりパッシブ方式では、対応する偏光フィルタを備えてなる眼鏡を装着して、右目用の画像と左目用の画像とをそれぞれ選択的に視聴者の右目及び左目に提供し、３次元画像を表示する。
【０００３】
このためパターン位相差フィルムは、液晶表示パネルにおける画素の設定に対応して、遅相軸方向（屈折率が最大となる方向）が直交する２種類の帯状領域が順次交互に形成される。ここでこの隣接する帯状領域の遅相軸方向は、通常、水平方向に対して、＋４５度と−４５度、又は０度と＋９０度の組み合わせが採用される。なおこの図５の例では、通常の画像表示装置における呼称に習って画面の長辺方向を水平方向として示す。
【０００４】
このパッシブ方式は、応答速度の遅い画像表示装置でも適用することができ、さらにパターン位相差フィルムと円偏光メガネとを用いた簡易な構成で３次元表示することができる。なおパッシブ方式の画像表示装置では、図５の例による垂直方向に代えて、水平方向に連続する画素を順次交互に右目用及び左目用に振り分ける方法も採用される。
【０００５】
このパッシブ方式に係るパターン位相差フィルムは、画素の割り当てに対応して透過光に位相差を与えるパターン状の位相差層が必要である。このパターン位相差フィルムに関して、特許文献１には、配向規制力を制御した光配向層をガラス基板上に形成し、この光配向層により液晶の配列をパターンニングして位相差層を作成する方法が開示されている。また特許文献２には、レーザーの照射によりロール版の周側面に微細な凹凸形状を形成し、この凹凸形状を転写してパターン状に配向規制力を制御した配向層を作製する方法が開示されている。また特許文献３には、マスクを使用した交互のラビング処理により配向膜を作製する方法が提案されている。
【０００６】
この種の画像表示装置では、いわゆるクロストークが発生する場合がある。ここでクロストークは、本来、右目及び左目に提供することが必要な右目用画素及び左目用画素からの出射光が、これとは異なり左目及び右目に漏れ込む現象である。この種の画像表示装置において、クロストークが激しくなると画質劣化が著しくなる。具体的に、クロストークにより、表示画像の立体感が損なわれ、著しい場合には、二重写しにより画像が知覚されることになる。
【０００７】
特許文献４には、パターン位相差フィルムにおける右目用及び左目用の帯状領域の境界に、遮光部を設けることによりクロストークを低減する方法が提案されている。
【０００８】
ところで上述したようにこの種の画像表示装置では、極力、クロストークを低減することが求められる。このために例えば特許文献４に記載の構成を採用することが考えられる。しかしながら特許文献４に開示の方法の場合、工程が複雑になる問題がある。
【０００９】
またパターン位相差フィルムでは、右目用画素に対応する帯状領域と、左目用画素に対応する帯状領域とで幅が異なってしまう。さらにパターン位相差フィルムを画像表示パネルに貼り合わせる場合には、ばらつきを避け得ず、これにより画像表示パネルの画素の境界に対して、帯状領域の境界が位置ずれする。画像表示装置では、これらによってもクロストークが増大して画質劣化が著しくなる問題がある。
【先行技術文献】
【特許文献】
【００１０】
【特許文献１】特開２００５−４９８６５号公報
【特許文献２】特開２０１０−１５２２９６号公報
【特許文献３】特開平２０１１−２１５５６２号公報
【特許文献４】特開２００８−２５７２０７号公報
【発明の概要】
【発明が解決しようとする課題】
【００１１】
本発明は上記の点に鑑みてなされたものであり、これらの問題点を一挙に解決してクロストークによる画質劣化を有効に回避することができる画像表示装置を提供することを目的とする。
【課題を解決するための手段】
【００１２】
本発明者は、上記課題を解決するために鋭意研究を重ね、位相差層と画像表示パネルとの間隔を短くすることにより、パターン位相差フィルムにおける帯状領域の境界の変位等によるクロストーク成分の増大を低減し、これによりクロストークによる画質劣化を有効に回避するとの着想に至り、本発明に想到した。
【００１３】
（１）  パッシブ方式により３次元画像を表示する画像表示装置において、
各画素の境界を遮光する遮光部と直線偏光板とが順次出射面に配置された画像表示パネルと、
前記画像表示パネルのパネル面に配置されたパターン位相差フィルムとを備え、
連続する画素が右目用画素及び左目用画素に順次交互に設定されて、それぞれ右目用の画像データ及び左目用の画像データとで駆動され、
前記パターン位相差フィルムは、
前記右目用画素及び左目用画素に対応して、透過光に対応する位相差を付与する右目用領域及び左目用領域が順次交互に設けられた位相差層を備え、
前記画像表示装置は、
前記位相差層から前記画像表示パネルのパネル面までの間隔が６００μｍ以下である。
【００１４】
（１）によれば、位相差層と画像表示パネルとの間隔を短くして、第１及び第２の領域の境界の変位等によるクロストークの増大を低減することができ、これによりクロストークによる画質劣化を有効に回避することができる。
【００１５】
（２）  （１）において、
前記画像表示装置から離間した位置において、前記右目用画素及び又は左目用画素からの出射光であって、前記右目用領域及び又は左目用領域を透過して到来する信号成分の光量に対して、前記左目用画素及び又は右目用画素からの出射光であって、前記右目用領域及び又は左目用領域を透過して到来するクロストーク成分の光量の比率が、１０％以下である。
【００１６】
（２）によれば、クロストークによる画質劣化を知覚できないようすることができる。
【００１７】
（３）  （２）において、前記離間した位置において、前記右目用画素からの出射光であって、前記右目用領域を透過して到来する信号成分の光量と、前記左目用画素からの出射光であって、前記左目用領域を透過して到来する信号成分の光量との差分値が、前記右目用領域を透過して到来する信号成分の光量又は前記左目用領域を透過して到来する信号成分の光量のうちの光量の大きい側の１０％以下である。
【００１８】
（３）によれば、右目用及び左目用の画像間の輝度差による画質劣化を、併せて有効に回避することができる。
【００１９】
（４）  （１）、（２）、又は（３）において、前記右目用領域及び左目用領域の幅が、０．０１ｍｍ以上、０．０３ｍｍ以下の範囲で異なっている。
【００２０】
（４）によれば、実用上十分に、右目用領域及び左目用領域で幅が相違する場合でも、クロストークによる画質劣化を有効に回避することができる。
【発明の効果】
【００２１】
本発明によれば、クロストークによる画質劣化を有効に回避することができる。
【図面の簡単な説明】
【００２２】
【図１】本発明の第１実施形態に係るパターン位相差フィルムを示す図である。
【図２】クロストークの説明に供する図である。
【図３】図２の続きの説明に供する図である。
【図４】クロストーク量の計算結果を示す図である。
【図５】パッシブ方式による３次元画像表示の説明に供する図である。
【発明を実施するための形態】
【００２３】
〔第１実施形態〕
図１は、本発明の第１実施形態に係る画像表示装置を示す断面図である。この画像表示装置１は、画像表示パネル２のパネル面（視聴者側面）にパターン位相差フィルム３が配置される。画像表示装置１は、ユーザ―の操作により動作モードを２次元画像表示モードと３次元画像表示モードとで切り替え、３次元画像表示モードでは、パッシブ方式により３次元画像を提供する。
【００２４】
すなわち画像表示装置１は、３次元画像表示モードにおいて、垂直方向（この図１では紙面の水平方向）に連続する画像表示パネル２の画素を、順次交互に、右目用の画像を表示する右目用画素、左目用の画像を表示する左目用画素に振り分けて、それぞれ右目用及び左目用の画像データで駆動する。これにより画像表示装置１は、画像表示パネル２による表示画面を、右目用の画像を表示する帯状の領域（図１においては、符号Ｒにより示す）と、左目用の画像を表示する帯状の領域（図１においては、符号Ｌにより示す）とに交互に区分し、右目用の画像と左目用の画像とを同時に表示する。この画像表示装置１は、この画像表示パネル２のパネル面に配置されたパターン位相差フィルム３により、右目用及び左目用の画素からの出射光にそれぞれ対応する位相差を与える。これによりこの画像表示装置１では、円偏光フィルタによる眼鏡を介して３次元画像を視聴することができる。これに対して画像表示装置１は、２次元画像表示モードでは、連続する画像データにより画像表示パネル２を駆動して２次元画像を表示する。
【００２５】
画像表示パネル２は、例えば液晶表示パネルであり、出射面側に、カラーフィルタ４、直線偏光板５が順次設けられる。ここでカラーフィルタ４は、ガラス等による透明基板４Ａに、遮光部４Ｃ、フィルタ部４Ｂが順次設けられる。フィルタ部４Ｂは、カラーフィルタとしての光学的機能を担う部位であり、赤色光、緑色光、青色光をそれぞれ選択的に透過させる帯状領域を画素の配置に対応して表示画面の水平方向（この図１において紙面の奥行方向）に順次循環的に形成して作製される。遮光部４Ｃは、いわゆるブラックマトリックスであり、各画素の境界を跨ぐように、各画素の境界に一定の幅により形成されて出射光を遮光する。画像表示パネル２は、透明基板４Ａが視聴者側となるようにカラーフィルタ４が配置される。
【００２６】
直線偏光板５は、接着層６によりカラーフィルタ４の透明基板４Ａに貼り付けられて配置される。直線偏光板５は、ＴＡＣ（トリアセチルセルロース）等の透明フィルムからなる基材５Ａ及び５Ｃにより光学機能層５Ｂを挟持した形状により作成される。具体敵に、直線偏光板５は、基材５Ａが鹸化処理された後、光学機能層５Ｂが配置される。なお基材５Ａ及び５Ｃは、これに代えてポリ（メタ）アクリル酸メチル、ポリ（メタ）アクリル酸ブチル、（メタ）アクリル酸メチル−（メタ）アクリル酸ブチル共重合体、（メタ）アクリル酸メチル−スチレン共重合体等のアクリル樹脂等の樹脂、ソーダ硝子、カリ硝子、鉛硝子、石英硝子等の硝子等を適用することができる。光学機能層５Ｂは、直線偏光板としての光学的機能を担う部位であり、例えばポリビニルアルコール（ＰＶＡ）によるフィルム材に、ヨウ素化合物分子を吸着配向させて作製される。直線偏光板５は、さらに基材５Ｃが配置されて作成される。
【００２７】
パターン位相差フィルム３は、接着層８により直線偏光板５に貼り付けられて配置される。ここでパターン位相差フィルム３は、ＴＡＣ（トリアセチルセルロース）、アクリル等の透明フィルムからなる基材３Ａの一方の面上に、配向膜３Ｂ、位相差層３Ｃが順次作製される。パターン位相差フィルム３は、屈折率異方性を保持した状態で固化（硬化）された液晶材料により位相差層３Ｃが形成され、この液晶材料の配向を配向膜３Ｂの配向規制力によりパターンニングする。このパターンニングにより、パターン位相差フィルム３は、画像表示パネル２における画素の割り当てに対応して、一定の幅により、右目用の領域（第１の領域）Ａと左目用の領域（第２の領域）Ｂとが順次交互に帯状に形成され、右目用及び左目用の画素からの出射光にそれぞれ対応する位相差を与える。
【００２８】
パターン位相差フィルム３は、光配向材料により光配向材料膜が作製された後、いわゆる光配向の手法によりこの光配向材料膜に直線偏光による紫外線を照射し、これにより光配向膜による配向膜３Ｂが形成される。ここでこの光配向材料膜に照射する紫外線は、その偏光の方向が右目用の領域Ａと左目用の領域Ｂとで９０度異なるように設定され、これにより位相差層３Ｃに設けられる液晶材料に関して、右目用の領域Ａ及び左目用の領域Ｂとで対応する向きに液晶分子を配向させ、透過光に対応する位相差を与える。なおここでこの隣接する帯状領域の遅相軸方向は、通常、水平方向に対して、＋４５度と−４５度、又は０度と＋９０度の組み合わせが採用される。また光配向材料は、光配向の手法を適用可能な各種の材料を適用することができるものの、この実施形態では、一旦配向した後には、紫外線の照射によって配向が変化しない、例えば光２量化型の材料を使用する。なおこの光２量化型の材料については、「M.Schadt,K.Schmitt,V.Kozinkov  and  V.Chigrinov:Jpn.J.Appl.Phys.,31,2155(1992)」、「M.Schadt,H.Seiberle  and  A.Schuster:Nature,381,212(1996)」等に開示されており、例えば「ROP-103」（Rolic  technologies  Ltd.社製）の商品名により既に市販されている。
【００２９】
さらにパターン位相差フィルム３は、基材３Ａの他方の面に、反射防止層３Ｅが設けられ、この反射防止層３Ｅが視聴者側となるように配置される。
【００３０】
〔クロストーク〕
画像表示装置１は、位相差層３Ｃと画像表示パネル２との間隔の設定により、画像表示パネル２の画素境界に対する、パターン位相差フィルム３の右目用領域Ａ及び左目用領域Ｂの境界の変位等によるクロストークの増大を低減し、これによりクロストークによる画質劣化を有効に回避する。なおこの右目用領域Ａ及び左目用領域Ｂの境界の変位は、第１及び第２の領域幅の相違、パターン位相差フィルムを張り付ける際の位置ずれによるものである。
【００３１】
ここでパターン位相差フィルムでは、第１又は第２の領域幅の分だけ精度良く開口を作製したマスクを使用した露光処理により配向膜３Ｂを作製する場合であっても、またこれに代えてマスクを使用した交互のラビング処理により配向膜３Ｂを作製する場合に、このマスクに第１及び第２の領域の分だけ精度良く開口を作製する場合であっても、作成された位相差層において第１及び第２の領域で幅の相違を避け得ず、結局、第１及び第２の領域幅を等しくするためには、マスクの修正と、この修正したマスクによる試作とを何度か繰り返すことが必要である。これにより第１及び第２の領域幅の相違に起因する右目用領域Ａ及び左目用領域Ｂの境界の変位によるクロストークの増大を低減し、クロストークによる画質劣化を有効に回避することができれば、一段と生産性を向上することができる。またパターン位相差フィルムの貼り付けにも誤差の発生を避け得ず、これによりパターン位相差フィルムを張り付ける際の位置ずれに起因する右目用領域Ａ及び左目用領域Ｂの境界の変位によるクロストークの増大を低減し、クロストークによる画質劣化を有効に回避することができれば、一段と生産性を向上することができる。
【００３２】
図２は、クロストークの説明に供する図である。画像表示パネルの画面中央の垂直方向に右目の視点が存在するものとし、画像表示装置１の視聴者側面からこの視点までの距離をＬとする。ここで通常Ｌは、表示画面の高さの１倍〜３倍である。またパターン位相差フィルム３の位相差層３Ｃと画像表示パネル２のパネル面までの間隔を、画素の領域を実質的に規定する遮光部４Ｃと位相差層３Ｃ（位相差層３Ｃの厚み方向の中央）との間隔により定義してＤにより表す。また遮光部４Ｃの幅を２Ｂにより表す。
【００３３】
またこの画面中央から上方向及び下方向における画素の順番をｎ及びｍにより表す。各画素の繰り返しピッチをＰとすると、画面中央からｎ−１番目の遮光部４Ｃは、その中心位置が画面中央から（ｎ−１）Ｐにより表されることになる。また画面中央からｍ−１番目の遮光部４Ｃは、その中心位置が画面中央から（ｍ−１）Ｐにより表されることになる。また画素の境界に対する右目用領域Ａの上側境界及び下側境界の変位をＦ及びＧ（Ｆ＞Ｇ）により示す
【００３４】
ここで視聴者の右目への入射光を検討する。ここで画面中央から上方向では、ｎが奇数の場合の（ｎ−１）Ｐ＋ＢからｎＰ−Ｂの範囲からの出射光が、本来、右目用画素からの右目に入射すべき出射光となり、画面中央から下方向では、ｍが偶数の場合の（ｍ−１）Ｐ＋ＢからｍＰ−Ｂの範囲からの出射光が、本来、右目用画素からの右目に入射すべき出射光となる。しかしながらこのような出射光にあっては、パターン位相差フィルム３の領域Ａ及びＢにより、その一部（ＳｉｇｎＲ及びＳｉｇｍＲにより表される範囲の光）のみが右目用領域Ａを透過することになり、この透過光量が本来の信号成分となる。またこの本来の信号成分は、パターン位相差フィルム２における領域Ａ及びＢの境界の変位により変化することになる。
【００３５】
またさらに隣接する左目用画素Ｌからの出射光のうちの一部（ＣＴｎＲ及びＣＴｍＲにより表される範囲の光）が、パターン位相差フィルム３の右目用領域Ａを透過して右目の入射し、この光がクロストーク成分となる。このクロストーク成分にあっても、パターン位相差フィルム２における領域Ａ及びＢの境界の変位により変化することになる。ここでこの信号成分とクロストーク成分との光量比を充分に確保することができれば、充分にクロストークによる画質劣化を防止することができる。
【００３６】
ここで各画素から各方向への出射光量は、ほぼ等しいことにより、この信号成分とクロストーク成分との光量は、それぞれ視点から見た範囲ＳｉｇｎＲ及びＳｉｇｍＲの角度θＳｉｇＰｎＲ及びθＳｉｇＰｍＲ、範囲ＣＴｎＲ及びＣＴｍＲの角度θＣＴＰｎＲ及びθＣＴＰｍＲに比例することになる。これによりこの範囲ＳｉｇｎＲ及びＳｉｇｍＲの角度θＳｉｇＰｎＲ及びθＳｉｇＰｍＲ、範囲ＣＴｎＲ及びＣＴｍＲの角度θＣＴＰｎＲ及びθＣＴＰｍＲを表示画面の全面でそれぞれ累積してＳｉｇＮＲ及びＳｉｇＭＲ、ＣＴＮＲ及びＣＴＭＲにより表すと、ＳｉｇＮＲ及びＳｉｇＭＲ、ＣＴＮＲ及びＣＴＭＲは次式により表すことができる。
【００３７】
【数１】
2015004725.tif 000003
【００３８】
またこの図２との対比により図３に示すように、左目用の画素Ｌから出射して左目用の領域Ｂを透過する出射光（ＳｉｇｎＬ及びＳｉｇｍＬにより表される範囲の光）、隣接する右目用の画素Ｒから出射されて左目用の領域Ｂを透過する出射光（ＣＴｎＬ及びＣＴｍＬにより表される範囲の光）について、視点から見た角度θＳｉｇＰｎＬ及びθＳｉｇＰｍＬ、角度θＣＴＰｎＬ及びθＣＴＰｍＬを表示画面の全面でそれぞれ累積してＳｉｇＮＬ及びＳｉｇＭＬ、ＣＴＮＬ及びＣＴＭＬにより表すと、ＳｉｇＮＲ及びＳｉｇＭＲ、ＣＴＮＲ及びＣＴＭＲは次式により表すことができる。
【００３９】
【数２】
2015004725.tif 000004
【００４０】
ここでこのようにして求められる計算結果を１画面分合計して信号成分に対するクロストーク成分の比率（ＣＴＮＲ＋ＣＴＭＲ）／（ＳｉｇＮＲ及びＳｉｇＭＲ）及び（ＣＴＮＬ＋ＣＴＭＬ）／（ＳｉｇＮＬ及びＳｉｇＭＬ）を求めると、この比率を１０％以下にすることにより、クロストークによる画質劣化が概ね知覚できないことが判った。
【００４１】
ここで間隔Ｄについてみると、間隔Ｄを小さくすることにより、クロストークによる画質劣化を低減することができ、間隔Ｄが小さい程、領域Ａ及びＢの境界の変位によるクロストーク成分の増大を低減することができ、その結果、クロストークによる画質劣化を知覚できないようにすることができる。
【００４２】
画像表示パネル２が４０インチフルＨＤ（１９２０×１０８０ｐｉｘｅｌ）である場合、Ｐ＝０．４６１２１ｍｍとなり、遮光部４Ｃの幅２Ｂは０．０８ｍｍである。Ｌ＝１２５０ｍｍ（画面の高さのほぼ２．５倍）として間隔Ｄを種々に変更すると、図４の計測結果が求められる。なおこの図４は、左目用領域Ｂの繰り返しピッチＰ（０．４６１２１ｍｍ）に対して左目用領域Ｂの幅が０．０３ｍｍ大きく、右目用領域Ａの幅がこれとは逆に繰り返しピッチＰより０．０３ｍｍ小さく、貼り付け時に０．０１ｍｍの位置ずれが生じている場合である。この右目用領域Ａ及び左目用領域Ｂの幅の相違量０．０３ｍｍ、貼り付け時の位置ずれ量０．０１ｍｍは、ワーストケースであり、実際の生産工程では、相違量及び位置ずれ量は、この数値以下である。
【００４３】
この図４の計測結果によれば、間隔Ｄを６００μｍに設定すれば、右目及び左目でクロストークに係る比率を５．００％、９．８８％とすることができ、これにより比率を１０％以下に設定できることが判る。
【００４４】
またこのようにして計算される右目及び左目に係る信号成分の光量においては、右目及び左目で光量差が大きくなると、画質劣化が知覚されるようになる。この光量差を検討したところ、光量差が１０％以上となると、画質劣化が知覚されることが判った。より具体的には、右目用画素Ｒからの出射光であって、右目用領域Ａを透過して到来する信号成分の光量と、左目用画素Ｌからの出射光であって、左目用領域Ｂを透過して到来する信号成分の光量との差分値が、これらの光量のうちの光量の大きい側の１０％以下であるようにすれば、この光量差により画質劣化が知覚されることが判った。
【００４５】
図４の計測結果によれば、間隔Ｄを６００μｍ以下に設定すれば、このような光量差も１０％以下とすることができ、この光量差による画質劣化も防止することができる。
【００４６】
ここで一般的な画像表示装置では、接着層６、８に感圧接着剤による粘着層が適用され、接着層８、直線偏光板５、接着層６、カラーフィルタ４の透明基板４Ａがそれぞれ厚み７５μｍ、２００μｍ、７５μｍ、６００μｍである。これにより位相差層３Ｃと画像表示パネル２のパネル面までの間隔Ｄは、概ね９５０μｍとなる。
【００４７】
そこでこの実施形態では、接着層８、直線偏光板５、接着層６、カラーフィルタ４の透明基板４Ａをそれぞれ厚み５０μｍ、１００μｍ、５０μｍ、３００μｍに設定し、これにより間隔Ｄを６００μｍ以下に設定した。
【００４８】
〔他の実施形態〕
以上、本発明の実施に好適な具体的な構成を詳述したが、本発明は、本発明の趣旨を逸脱しない範囲で、上述の実施形態の構成を種々に変更することができる。
【００４９】
すなわち上述の実施形態では、光配向膜を使用してパターン位相差フィルムを構成する場合について述べたが、本発明はこれに限らず、賦型処理等により１方向に延長する微細なライン状の凹凸形状による配向膜によりパターン位相差フィルムを構成する場合にも広く適用することができる。
【００５０】
また上述の実施形態では、画像表示パネルに液晶表示パネルを適用する場合について述べたが、本発明はこれに限らず、有機Ｅｌパネル等、各種の画像表示パネルを広く適用することができる。
【符号の説明】
【００５１】
１  画像表示装置
２  画像表示パネル
３  パターン位相差フィルム
３Ａ  基材
３Ｂ  配向膜
３Ｃ  位相差層
４  カラーフィルタ
４Ａ、５Ａ  透明基板
４Ｂ  フィルタ部
４Ｃ  遮光部
５  直線偏光板
５Ｂ  光学機能層
６、８  接着層
【図１】
2015004725.tif 000005
【図２】
2015004725.tif 000006
【図３】
2015004725.tif 000007
【図４】
2015004725.tif 000008
【図５】
2015004725.tif 000009